(57)【要約】【課題】ボデー構造の影響を蒙ることなく、車両周囲のいずれの方向からも見通しが良く、しかもアンテナ及びレシーバを一体に簡単に組込むことのできる自動車用ワイヤレスドアロック装置のアンテナ構造を提供する。【解決手段】ドアロック装置を制御するレシーバにアンテナ受信信号を供給するために、車室内に設けられる自動車用ワイヤレスドアロック装置のアンテナ構造において、天井板に、ランプ１３を収納するハウジング１０に設けられたレンズ１２を通して車室内を照明するドームランプ９が設けられていると共に、ハウジング１０の内面に沿ってアンテナ２９を設け、このアンテナの基端部をハウジング１０に収納したレシーバ２０に接続する。【選択図】　　　　　図１
2004129010.tif 000002
【特許請求の範囲】
【請求項１】
ドアロック装置を制御するレシーバにアンテナ受信信号を供給するために、車室内に設けられる自動車用ワイヤレスドアロック装置のアンテナ構造において、
天井板に、ランプを収納するハウジングに設けられたレンズを通して車室内を照明するドームランプが設けられていると共に、前記ハウジングの内面に沿ってアンテナを設け、このアンテナの基端部を前記ハウジングに収納したレシーバに接続することを特徴とする自動車用ワイヤレスドアロック装置のアンテナ構造。
【請求項２】
アンテナを構成する銅箔がハウジングの内面に印刷され、前記アンテナの基端部に、レシーバの入力部に接続する接点が接触することを特徴とする請求項１記載の自動車用ワイヤレスドアロック装置のアンテナ構造。
【請求項３】
ハウジングに設けられたドームランプスイッチの上方の空間部に、レシーバを設けたことを特徴とする請求項１又は請求項２記載の自動車用ワイヤレスドアロック装置のアンテナ構造。
【発明の詳細な説明】
【０００１】
【発明の属する技術分野】
本発明は、ドアロック装置を制御するレシーバにアンテナ受信信号を供給するために、車室内に設けられる自動車用ワイヤレスドアロック装置のアンテナ構造に関するものである。
【０００２】
【従来の技術】
この種のアンテナ構造として、車室外から見通しの良い位置にアンテナを配置するように、特許文献１によりメータフードにレシーバと共に組込んだもの、特許文献２によりサンバイザの支柱をアンテナとして利用し、可動のサンバイザ本体にレシーバを組み込んだもたもの、或いは特許文献３によりルームミラーの支柱をアンテナとして利用し、可動のミラー本体にレシーバを組込んだもの等が周知である。
【０００３】
【特許文献１】
特開平９−３０３０１６号公報
【特許文献２】
特開平９−３１０５４８号公報
【特許文献３】
特開平１０−２８７１８０号公報
【０００４】
【発明が解決しようとする課題】
これにより、アンテナが車室内に向けて突出した領域に位置設定可能になるが、いずれにしても車両の全方向に対して指向特性を確保するには、これら自体或いは周辺のボデー構造を考慮する必要がある。また、近辺にレシーバを設けようとすると、その収納部分を特別に構成する必要もある。
【０００５】
本発明は、このような点に鑑みて、ボデー構造の影響を蒙ることなく、車両周囲のいずれの方向からも見通しが良く、しかもアンテナ及びレシーバを一体に簡単に組込むことのできる自動車用ワイヤレスドアロック装置のアンテナ構造を提供することを目的とする。
【０００６】
【課題を解決するための手段】
本発明は、この目的を達成するために、請求項１により、ドアロック装置を制御するレシーバにアンテナ受信信号を供給するために、車室内に設けられる自動車用ワイヤレスドアロック装置のアンテナ構造において、天井板に、ランプを収納するハウジングに設けられたレンズを通して車室内を照明するドームランプが設けられていると共に、ハウジングの内面に沿ってアンテナを設け、このアンテナの基端部をハウジングに収納したレシーバに接続することを特徴とする。
【０００７】
天井板に取付けられたドームランプ（ルームランプ）は、車室内を照明する通常の機能を果たす。また、ドームランプに収納されたアンテナは、車両中央部のルーフから車室内側へ離間した位置で車両外部の送信機からの送信電波を受信し、その受信信号を入力とするレシーバによりドアロック装置を制御させる。
【０００８】
【発明の実施の形態】
図１乃至図３を基に本発明の実施の形態によるドームランプを利用した自動車用ワイヤレスドアロック装置のアンテナ構造を説明する。ドームランプ９は通常の構造であり、ルーフパネル１の裏側に配置された電波透過性の通常の天井板２の中央部の開口部２ａに、両側のルーフサイドレール間を橋渡しするリインフォース４（図３Ａ）に取付けられたロの字形のブラケット３により、僅かに下方へ突出するように設けられている。即ち、３個所の筒状の座部１１でねじ１１ａ（図３Ａ）によりブラケット３にねじ止めされる長方形状の皿形のハウジング１０の中央部のレンズ１２の内側にランプ１３が収納され、その側部にランプ１３をオンオフする押ボタン１４を備えたドームランプスイッチ１５が収納されている。
【０００９】
このようなドームランプ９自体の基本構成は周知であるが、本発明によりアンテナ２９及び回路ケース２１に回路基板２５を収納して構成されるレシーバ２０が収納されている。即ち、ドームランプスイッチ１５の上方の空間部に、回路ケース２１がハウジング１０の内面に形成された３個所の座部２３にねじ止めされると共に、電波透過性である合成樹脂製のハウジング１０の周辺領域に、アンテナ２９を構成する銅箔がＬ字形に印刷されている。
【００１０】
図３Ｂに示すように、回路基板２５の入力回路部からはばね接点２２が導出され、回路ケース２１の取付け時にアンテナ２９の基端部に接触するようになっている。また、図３Ｃに示すように、回路基板２５のアース部からアース片２７が導出され、１個所のねじ１１ａで締込まれることより金属性のブラケット３、リインフォース４及び両側のルーフサイドレールを介してボデーアースされるようになっている。さらに、回路ケース２１には、ドアロック装置間に配線するためのコネクタ２８が着脱自在に装着され、ドアロック制御信号を出力するようになっている。
【００１１】
このようなアンテナ２９は、形状を敢えて拡大されていないドームランプ９のハウジング１０の周辺に沿って、３００ＭＨｚの送信電波の１／４波長に近い２０ｃｍ前後の長さに設定されている。また、このアンテナは、車両外板で遮蔽されることなく、車両の全周からウインドガラスを通して見通すことのできるように、ルーフパネル１に対して車室内側に離間している天井板２よりも僅かに下方位置を占めている。尚、天井板２は通常電波透過性であり、アンテナ２９は、場合によりルーフパネル１よりも下方へ離間するのを前提に、天井板２よりも僅かに上方に位置しても良い。
【００１２】
このように構成されたドームランプ９により、回路ケース２１をハウジング１０にねじ止めする際にばね接点２２が自動的にアンテナ２９に接触し、また車両への組付け時にハウジング１０をブラケット３にねじ止めすると、回路基板２５は自動的にボデーアースされる。これにより、アンテナ２９は、車両の四方のウインドガラスから見通せるルーフ近辺の車室内中心部でモノポールアンテナとして機能し、ドームランプ９内の空間部に収納されたレシーバ２０はアンテナ受信信号に応答してドアのロック及びアンロック制御を行う。
【００１３】
尚、ドームランプのハウジングに印刷されるアンテナは、電波の波長或いはハウジングの形状によっては、Ｌ字を延長してコの字形もしくはその他の形状に形成することもできる。また、印刷によらずに導線をハウジング内に設けることもできる。
【００１４】
【発明の効果】
請求項１の発明によれば、アンテナが車両中心部の車室上方領域に設置できるために、車両全周に対して均一で、かつ良好な受信性能が得られると共に、アンテナ周囲の構造条件が一定となり、車種ごとに行っているアンテナ整合の調整も不要になる。さらに、アンテナ及びレシーバが、ドームランプ内の空間部に設けられるために低コストに構成される。請求項２の発明によれば、アンテナがプリント回路としてコンパクトに簡単に構成される。請求項３の発明によれば、レシーバの配置にドームランプスイッチを設ける空間部を利用することにより、容易に通常形状のドームランプに組込むことが可能となる。
【図面の簡単な説明】
【図１】本発明の実施の形態による自動車用ワイヤレスドアロック装置のアンテナ構造を備えたドームランプの斜視図である。
【図２】同ドームランプの縦方向断面図である。
【図３】同ドームランプの断面図を示すもので、同図Ａは図１のＡ−Ａ線断面図、同図ＢはそのＢ−Ｂ線断面図、同図ＣはそのＣ−Ｃ線断面図である。
【符号の説明】
１　ルーフパネル
２　天井板
３　ブラケット
４　リインフォース
９　ドームランプ
１０　ハウジング
１２　レンズ
１３　ランプ
１５　ドームランプスイッチ
２０　レシーバ
２２　ばね接点
２７　アース片
２９　アンテナ
【図１】
2004129010.tif 000003
【図２】
2004129010.tif 000004
【図３】
2004129010.tif 000005